【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
被切削体における歯溝に対応する所定の歯形ねじれ角を有する仕上げ加工刃を外周側に形成した円筒状の仕上げ加工用シェルを備えるヘリカルブローチであって、
前記仕上げ加工用シェルは、前記仕上げ加工刃を備えた略円筒状のシェルが工具軸方向に複数並べられて成る分割構造であり、
複数の前記シェルは、工具軸方向の一端に設けられる溝部と、工具軸方向の他端に設けられ隣接する前記シェルの前記溝部と嵌合する突起部とを有し、隣接する前記シェルの前記溝部と前記突起部との嵌合によって工具周方向の位相が相対的に合わされ、
複数の前記シェルにおける前記溝部および前突起部は、前記仕上げ加工刃を基準とした所定の位置に設けられ、前記歯形ねじれ角に沿うように並んで位置し、
複数の前記シェルにおける前記仕上げ加工刃は、加工方向先行側から加工方向後行側へ向かって刃幅が前記シェルごとに漸増する
ことを特徴とするヘリカルブローチ。
【請求項２】
前記仕上げ加工用シェルは、加工方向最後端に新たな前記シェルを挿入すると共に、加工方向最先端に位置する前記シェルを取外し、軸方向に並んで組付けられた各前記シェルの設置位置を加工方向先行側へ移動することができるものであることを特徴とする請求項１に記載のヘリカルブローチ。
【請求項３】
前記シェルにおける前記仕上げ加工刃は、前記被切削体における歯すじに沿う両歯面を切削することを特徴とする請求項１に記載のヘリカルブローチ。
【請求項４】
前記シェルにおける前記仕上げ加工刃は、前記被切削体における歯すじに沿う両歯面に突き当てられる刃物角が共に鋭角であることを特徴とする請求項３に記載のヘリカルブローチ。
【請求項５】
外周側に仕上げ加工刃を形成した略円筒状のシェルが工具軸方向に複数並べられて成る円筒状の仕上げ加工用シェルを備えるヘリカルブローチを修繕するヘリカルブローチ修繕方法であって、
加工方向最後端に位置する前記シェルに設けられた前記仕上げ加工刃が、被切削体を所定の寸法に切削することが不可能な状態になった場合には、加工方向最後端に新たな前記シェルを挿入すると共に、加工方向最先端に位置する前記シェルを取外し、軸方向に並んで組付けられた各前記シェルの設置位置を加工方向先行側へ移動して新たな仕上げ加工用シェルとすることを特徴とするヘリカルブローチ修繕方法。
【手続補正２】
【補正対象書類名】明細書
【補正対象項目名】発明の名称
【補正方法】変更
【補正の内容】
【発明の名称】ヘリカルブローチおよびヘリカルブローチ修繕方法
【手続補正３】
【補正対象書類名】明細書
【補正対象項目名】０００１
【補正方法】変更
【補正の内容】
【０００１】
本発明は、ヘリカルブローチおよびヘリカルブローチ修繕方法に関する。
【手続補正４】
【補正対象書類名】明細書
【補正対象項目名】００１６
【補正方法】変更
【補正の内容】
【００１６】
上記課題を解決する第一の発明に係るヘリカルブローチは、被切削体における歯溝に対応する所定の歯形ねじれ角を有する仕上げ加工刃を外周側に形成した円筒状の仕上げ加工用シェルを備えるヘリカルブローチであって、前記仕上げ加工用シェルは、前記仕上げ加工刃を備えた略円筒状のシェル（ウェハー式シェル）が工具軸方向に複数並べられて成る分割構造であり、複数の前記シェルは、工具軸方向の一端に設けられる溝部と、工具軸方向の他端に設けられ隣接する前記シェルの前記溝部と嵌合する突起部とを有し、隣接する前記シェルの前記溝部と前記突起部との嵌合によって工具周方向の位相が相対的に合わされ、複数の前記シェルにおける前記溝部および前突起部は、前記仕上げ加工刃を基準とした所定の位置に設けられ、前記歯形ねじれ角に沿うように並んで位置し、複数の前記シェルにおける前記仕上げ加工刃は、加工方向先行側から加工方向後行側へ向かって刃幅が前記シェルごとに漸増することを特徴とする。
【手続補正５】
【補正対象書類名】明細書
【補正対象項目名】００１７
【補正方法】変更
【補正の内容】
【００１７】
上記課題を解決する第二の発明に係るヘリカルブローチは、第一の発明に係るヘリカルブローチにおいて、前記仕上げ加工用シェルは、加工方向最後端に新たな前記シェルを挿入すると共に、加工方向最先端に位置する前記シェルを取外し、軸方向に並んで組付けられた各前記シェルの設置位置を加工方向先行側へ移動することができるものであることを特徴とする。
【手続補正６】
【補正対象書類名】明細書
【補正対象項目名】００１８
【補正方法】変更
【補正の内容】
【００１８】
上記課題を解決する第三の発明に係るヘリカルブローチは、第一または第二の発明に係るヘリカルブローチにおいて、前記シェルにおける前記仕上げ加工刃は、前記被切削体における歯すじに沿う両歯面を切削することを特徴とする。
【手続補正７】
【補正対象書類名】明細書
【補正対象項目名】００１９
【補正方法】変更
【補正の内容】
【００１９】
上記課題を解決する第四の発明に係るヘリカルブローチは、第三の発明に係るヘリカルブローチにおいて、前記シェルにおける前記仕上げ加工刃は、前記被切削体における歯すじに沿う両歯面に突き当てられる刃物角が共に鋭角であることを特徴とする。
上記課題を解決する第五の発明に係るヘリカルブローチ修繕方法は、外周側に仕上げ加工刃を形成した略円筒状のシェルが工具軸方向に複数並べられて成る円筒状の仕上げ加工用シェルを備えるヘリカルブローチを修繕するヘリカルブローチ修繕方法であって、加工方向最後端に位置する前記シェルに設けられた前記仕上げ加工刃が、被切削体を所定の寸法に切削することが不可能な状態になった場合には、加工方向最後端に新たな前記シェルを挿入すると共に、加工方向最先端に位置する前記シェルを取外し、軸方向に並んで組付けられた各前記シェルの設置位置を加工方向先行側へ移動して新たな仕上げ加工用シェルとすることを特徴とする。
【手続補正８】
【補正対象書類名】明細書
【補正対象項目名】００２０
【補正方法】変更
【補正の内容】
【００２０】
第一の発明に係るヘリカルブローチによれば、仕上げ加工用シェルが軸方向に複数に分割された構造であるので、分割された各シェル（ウェハー式シェル）における一部の仕上げ加工刃が損傷や摩耗等によって被切削体を所定の寸法に切削することができない状態になった場合には、当該一部の仕上げ加工刃を有するシェルのみを交換すれば良いので、仕上げ加工用シェルとしての交換費用を大幅に抑えることができる。また、各シェルは被切削体における歯溝に対応する各一刃を仕上げ加工刃として有するので、各シェルにおいて仕上げ加工刃を形成する際には、仕上げ加工刃を形成するための砥石等が隣接刃と干渉する虞がなく、刃の逃げ角（二番逃がし）を大きく設定するなど、仕上げ加工刃を種々の形状に形成することができる。
【手続補正９】
【補正対象書類名】明細書
【補正対象項目名】００２１
【補正方法】変更
【補正の内容】
【００２１】
第二の発明に係るヘリカルブローチによれば、各シェルの設置位置を加工方向先行側へ移動させることにより、再研磨等によって小さくなる仕上げ加工刃をすぐに廃棄せずに再利用することができるので、各シェルの使用期間を大幅に延ばし、仕上げ加工用シェルのランニングコストを大幅に抑えることができる。
【手続補正１０】
【補正対象書類名】明細書
【補正対象項目名】００２２
【補正方法】変更
【補正の内容】
【００２２】
第三の発明に係るヘリカルブローチによれば、シェルにおける仕上げ加工刃が被切削体における歯すじに沿う両歯面を切削するので、仕上げ加工刃の刃数を少なくすることができる。よって、仕上げ加工用シェルとしての軸方向の長さを短くすることができ、ヘリカルブローチの短尺化を図ることができる。
【手続補正１１】
【補正対象書類名】明細書
【補正対象項目名】００２３
【補正方法】変更
【補正の内容】
【００２３】
第四の発明に係るヘリカルブローチによれば、シェルにおける仕上げ加工刃が被切削体における歯すじに沿う両歯面を切削する刃物角が共に切削加工に適した鋭角であるので、被切削体の切削面の加工精度および面粗度を向上させることができる。また、仕上げ加工刃の切削量を十分に多く設定することができるので、仕上げ加工刃の刃数を少なくすることができる。よって、仕上げ加工用シェルとしての軸方向における長さを短くすることができ、ヘリカルブローチの短尺化を図ることができる。
第五の発明に係るヘリカルブローチ修繕方法によれば、各シェルの設置位置を加工方向先行側へ移動させることにより、再研磨等によって小さくなる仕上げ加工刃をすぐに廃棄せずに再利用することができるので、各シェルの使用期間を大幅に延ばし、仕上げ加工用シェルのランニングコストを大幅に抑えることができる。
【手続補正１２】
【補正対象書類名】明細書
【補正対象項目名】００４１
【補正方法】変更
【補正の内容】
【００４１】
また、本実施例では、各ウェハー式シェル２０W(1)〜２０W(N)における仕上げ加工刃３０W(1)〜３０W(N)が、ワークＷにおける左歯面５０および右歯面６０を共に刃物角θW(1)〜θW(N)で切削するように設定すると共に、当該刃物角θW(1)〜θW(N)が切削加工に適する鋭角となるように設定している。
【手続補正１３】
【補正対象書類名】明細書
【補正対象項目名】００４２
【補正方法】変更
【補正の内容】
【００４２】
一般に、切削工具における加工刃は、切削部が鈍角であるよりも鋭角である方が高い切削能力を有し、かつ切削面における面粗度の良好な切削が可能である。
よって、本実施例では、ウェハー式シェル２０W(1)〜２０W(N)における仕上げ加工刃３０W(1)〜３０W(N)がワークＷにおける両歯面５０、６０を切削する刃物角θW(1)〜θW(N)が鋭角となるように設定している。
【手続補正１４】
【補正対象書類名】明細書
【補正対象項目名】００４３
【補正方法】変更
【補正の内容】
【００４３】
つまり、本実施例においては、ウェハー式シェル２０W(1)〜２０W(N)は、ワークＷにおける左歯面５０および右歯面６０を共に鋭角の刃物角θW(1)〜θW(N)で切削する仕上げ加工刃３０W(1)〜３０W(N)が設けられた両歯面用である。
【手続補正１５】
【補正対象書類名】明細書
【補正対象項目名】００４４
【補正方法】変更
【補正の内容】
【００４４】
もちろん、本発明に係るヘリカルブローチは、本実施例のように両歯面用の仕上げ加工刃に限定されず、片歯面ずつ切削する仕上げ加工刃としても良い。また、ワークＷにおける左歯面５０および右歯面６０を切削する切削量ｄW(1)〜ｄW(N)および刃物角θW(1)〜θW(N)を、左歯面５０と右歯面６０とで異なる数値としても良い。
【手続補正１６】
【補正対象書類名】明細書
【補正対象項目名】００６５
【補正方法】変更
【補正の内容】
【００６５】
本実施例に係るヘリカルブローチ１では、図３に示すように、ワークＷにおける左歯面５０および右歯面６０を、ウェハー式シェル２０W(1)〜２０W(N)における仕上げ加工刃３０W(1)〜３０W(N)の刃物角θW(1)〜θW(N)で切削しているので、仕上げ加工刃３０W(1)〜３０W(N)による切削面の面粗度は良好で、切削量ｄW(1)〜ｄW(N)を十分に多く設定することができる。
【手続補正１７】
【補正対象書類名】明細書
【補正対象項目名】００６７
【補正方法】変更
【補正の内容】
【００６７】
なお、各ウェハー式シェル２０W(1)〜２０W(N)における仕上げ加工刃３０W(1)〜３０W(N)の切削量ｄW(1)〜ｄW(N)および刃物角θW(1)〜θW(N)等の切削条件を同等に設定することが好ましい。仕上げ加工刃３０W(1)〜３０W(N)の切削条件を同等とすることにより、仕上げ加工刃３０W(1)〜３０W(N)の摩耗時期や摩耗量が同等となり、各ウェハー式シェル２０W(1)〜２０W(N)の交換時期を概ね揃えることができる。